(57)【特許請求の範囲】
【請求項１】
柱、床大梁及び天井大梁を有してなる複数の建物ユニットが互いに連結されることにより構築されたユニット式の建物に適用され、
前記建物ユニットの天井部には天井面材が設けられており、
前記天井面材として、下面が前記天井大梁の下面よりも高い位置に設定された高天井面材を有しており、
前記高天井面材の下方には、前記天井大梁の下面よりも高い位置に高天井下スペースが形成されており、
隣り合う前記建物ユニットに跨がって屋内空間部が形成されており、
前記屋内空間部の天井部には、前記隣り合う建物ユニットにおいて互いに対向する前記各天井大梁にそれぞれ隣接して前記高天井面材が設けられており、それによって前記各天井大梁を挟んだ両側にそれぞれ前記高天井下スペースが形成されており、
前記各高天井下スペースにはそれぞれ前記各天井大梁付近に照明機器が設置されており、
前記各天井大梁の下面側には、前記各照明機器を下方から覆う遮光部材が取り付けられていることを特徴とする建物の天井構造。
【請求項２】
前記建物ユニットの天井部には、対向する一対の前記天井大梁の間に複数の天井小梁が架け渡されており、
前記各天井小梁の下面側には前記天井面材が取り付けられており、
前記各天井小梁のうち少なくとも一部の天井小梁は、前記一対の各天井大梁の上部に架け渡された高天井小梁となっており、
前記高天井小梁の下面側に前記高天井面材が取り付けられていることを特徴とする請求項１に記載の建物の天井構造。
【請求項３】
前記一対の天井大梁に架け渡された前記複数の天井小梁はいずれも前記高天井小梁となっており、
それら各高天井小梁の下面側にそれぞれ前記高天井面材が取り付けられていることを特徴とする請求項２に記載の建物の天井構造。
【請求項４】
前記遮光部材上に前記各照明機器が取り付けられていることを特徴とする請求項１乃至３のいずれか一項に記載の建物の天井構造。
【発明の詳細な説明】
【技術分野】
【０００１】
本発明は、建物の天井構造に関する。
【背景技術】
【０００２】
従来より、建物の一種として、柱、床大梁及び天井大梁を有してなる複数の建物ユニットが互いに組み合わされることで構築されたユニット式建物が知られている。ユニット式建物では、建物ユニットの天井部において対向する一対の天井大梁間に複数の天井小梁が架け渡されており、それら各天井小梁の下面側と各天井大梁の下面側とに天井面材が取り付けられている。
【０００３】
ところで、近年、住宅等の建物において、天井下に間接照明が構築される場合がある。特許文献１には、ユニット式建物においてかかる間接照明が構築された構成が開示されている。特許文献１に記載のものは、部屋の壁際においてその天井下に照明機器が設けられており、その照明機器の下方に遮光板が設けられている。遮光板は、壁面から照明機器の下方に延出して設けられており、その端部が壁面に対して固定されることで支持されている。
【先行技術文献】
【特許文献】
【０００４】
【特許文献１】特開２０１４−１０１７４２号公報
【発明の概要】
【発明が解決しようとする課題】
【０００５】
ここで、上記特許文献１の構成では、天井面よりも下方に照明機器が設けられ、その照明機器よりも下方に遮光板が設けられているため、遮光板が設けられている箇所では室内高さが天井高さよりも低くなっている。そのため、それにより居住者等が圧迫感を受けてしまうおそれがある。
【０００６】
また、このような問題は、天井下に間接照明が構築される場合に限って生じる問題でなく、天井下に照明機器以外の設備機器又は設備機器以外のものが設置される場合にも同様に生じうる問題である。
【０００７】
本発明は、上記事情に鑑みてなされたものであり、天井下に設備機器等を設置するにあたり、その設備機器等から受ける圧迫感を少なくすることができる建物の天井構造を提供することを主たる目的とするものである。
【課題を解決するための手段】
【０００８】
上記課題を解決すべく、第１の発明の建物の天井構造は、柱、床大梁及び天井大梁を有してなる複数の建物ユニットが互いに連結されることにより構築されたユニット式の建物に適用され、前記建物ユニットの天井部には天井面材が設けられており、前記天井面材として、下面が前記天井大梁の下面よりも高い位置に設定された高天井面材を有することを特徴とする。
【０００９】
本発明によれば、建物ユニットの天井部に、下面が天井大梁の下面よりも高い位置に設定された高天井面材が設けられている。高天井面材は、天井大梁の下面側に設けられる通常（通常高さ）の天井面材よりも高い位置に配置されるため、高天井面材の下方には、通常の天井面材よりも高い位置に天井下スペース（以下、高天井下スペースという）が形成される。この場合、その高天井下スペースを利用して設備機器等を設置することが可能となるため、天井下に設備機器等を設置するに際し、その設備機器等から受ける圧迫感を少なくすることができる。
【００１０】
ここで、高天井面材は、その下面が天井大梁の上下方向の中央部と同じ高さ位置となるか又はそれよりも上方に位置するように配設されるのが望ましい。そうすれば、高天井面材の下方に形成される高天井下スペースの上下高さを比較的大きくすることができるため、高天井下スペースを利用して設備機器等を設置する際、設備機器等の全部又は大部分を高天井下スペースに配置することが可能となる。そのため、設備機器等から受ける圧迫感をより一層少なくすることができる。
【００１１】
第２の発明の建物の天井構造は、第１の発明において、前記建物ユニットの天井部には、対向する一対の前記天井大梁の間に複数の天井小梁が架け渡されており、前記各天井小梁の下面側には前記天井面材が取り付けられており、前記各天井小梁のうち少なくとも一部の天井小梁は、前記一対の各天井大梁の上部に架け渡された高天井小梁となっており、前記高天井小梁の下面側に前記高天井面材が取り付けられていることを特徴とする。
【００１２】
本発明によれば、対向する一対の天井大梁間に架け渡された複数の天井小梁のうち少なくとも一部が、各天井大梁の上部に架け渡された高天井小梁となっており、その高天井小梁の下面側に高天井面材が取り付けられている。この場合、既存の天井小梁を天井大梁に対して上部に位置させるといった比較的簡単な構成で高天井面材を設けることができるため、ユニット天井部に高天井面材を設けるにあたって実用上好ましい構成といえる。
【００１３】
第３の発明の建物の天井構造は、第２の発明において、前記一対の天井大梁に架け渡された前記複数の天井小梁はいずれも前記高天井小梁となっており、それら各高天井小梁の下面側にそれぞれ前記高天井面材が取り付けられていることを特徴とする。
【００１４】
本発明によれば、一対の天井大梁に架け渡された複数の天井小梁のいずれもが高天井小梁となっており、それら各天井小梁の下面側にそれぞれ高天井面材が取り付けられている。この場合、建物ユニットの天井部に広範囲に高天井下スペースを形成することができるため、高天井下スペースを利用して設備機器等を設置するにあたって、設備機器等の設置自由度を高めることができる。
【００１５】
第４の発明の建物の天井構造は、第１乃至第３のいずれかの発明において、前記高天井面材の下方には、前記天井大梁の下面よりも高い位置に高天井下スペースが形成されており、その高天井下スペースを用いて設備機器が設置されていることを特徴とする。
【００１６】
本発明によれば、高天井面材の下方に形成された高天井下スペースを利用して設備機器が設置されているため、天井下に設備機器を設置するにあたって設備機器（又はそれに付随する部材）から受ける圧迫感を少なくすることができる。
【００１７】
なお、設備機器としては、後述する照明機器の他に、通信機器や音響機器、映像機器等が挙げられる。また、「高天井下スペースを用いて設備機器が設置されている」とは、設備機器の全体が高天井下スペースに配置されている場合だけでなく、設備機器の一部のみが高天井下スペースに配置されている場合も含む意味である。
【００１８】
第５の発明の建物の天井構造は、第４の発明において、前記高天井下スペースを用いて前記設備機器としての照明機器が設置されており、前記照明機器の下方には、当該照明機器を下方から覆う遮光部材が設けられていることを特徴とする。
【００１９】
本発明によれば、高天井下スペースを利用して照明機器が設置され、その照明機器を下方から覆うように遮光部材が設けられているため、照明機器と遮光部材とにより天井下に間接照明を構築するにあたって、照明機器及び遮光部材から受ける圧迫感を少なくすることができる。
【００２０】
また、遮光部材については、その下面が天井大梁の下面側に設けられる通常の天井面材の下面（又は天井面）と同じ高さ位置となるように配置するのが望ましい。その場合、遮光部材より受ける圧迫感をより少なくすることができる。
【００２１】
第６の発明の建物の天井構造は、第５の発明において、前記高天井面材と前記天井大梁の下面との間の段差部に前記照明機器が設けられていることを特徴とする。
【００２２】
本発明によれば、高天井面材と天井大梁の下面との間の段差部を利用して照明機器を設けることができる。これにより、高天井面材から下方に延びる垂れ壁を設け、その垂れ壁に照明機器を設ける場合と比べ、構成の簡素化を図ることができる。
【００２３】
第７の発明の建物の天井構造は、第５又は第６の発明において、前記高天井面材は、前記天井大梁に隣接して配置されており、前記照明機器は、前記高天井面材の下方の前記高天井下スペースにおいて前記天井大梁付近に設置されており、前記天井大梁の下面側には、前記照明機器を下方から覆う前記遮光部材が取り付けられていることを特徴とする。
【００２４】
本発明によれば、高天井面材よりも下方に突出して設けられる天井大梁の下面に遮光部材が取り付けられている。この場合、高天井面材から下方に延びる垂れ壁を設け、その垂れ壁の下面に遮光部材を取り付ける場合と比べ、構成の簡素化を図ることができる。
【００２５】
第８の発明の建物の天井構造は、第７の発明において、隣り合う建物ユニットに跨がって屋内空間部が形成されており、前記屋内空間部の天井部には、前記隣り合う建物ユニットにおいて互いに対向する前記各天井大梁のうち少なくともいずれかの天井大梁に隣接して前記高天井面材が設けられており、前記照明機器は、その高天井面材の下方の前記高天井下スペースにおいて前記天井大梁付近に設置されており、当該天井大梁の下面側に前記遮光部材が取り付けられていることを特徴とする。
【００２６】
本発明によれば、隣り合う建物ユニットに跨がって屋内空間部が形成されており、その屋内空間部の天井部には隣り合う建物ユニットの境界部周辺に照明機器と遮光部材とが設けられている。この場合、屋内空間部の中央側において天井下に間接照明を構築することができる。また、隣り合う建物ユニットの対向する各天井大梁を利用して遮光部材が取り付けているため、壁（例えば間仕切壁）から離れた屋内空間部の中央側にて間接照明を構築する際にも、垂れ壁を不要とすることができ、構成の簡素化を図ることができる。
【００２７】
第９の発明の建物の天井構造は、第８の発明において、前記屋内空間部の天井部には、前記隣り合う建物ユニットにおいて互いに対向する前記各天井大梁にそれぞれ隣接して前記高天井面材が設けられており、それによって前記各天井大梁を挟んだ両側にそれぞれ前記高天井下スペースが形成されており、前記照明機器は、前記各高天井下スペースにおいてそれぞれ前記天井大梁付近に設置されており、前記各天井大梁の下面側には、前記各照明機器を下方から覆う前記遮光部材が取り付けられていることを特徴とする。
【００２８】
本発明によれば、屋内空間部の天井部において、隣り合う建物ユニットの対向する各天井大梁を挟んだ両側にそれぞれ高天井下スペースが形成されており、それら各高天井下スペースにおいてそれぞれ天井大梁付近に間接照明が構築されている。この場合、それら各間接照明により屋内空間部をその中央側から広範囲に亘って照らすことが可能となる。
【００２９】
第１０の発明の建物の天井構造は、第５乃至第９のいずれかの発明において、前記遮光部材上に前記照明機器が取り付けられていることを特徴とする。
【００３０】
本発明によれば、遮光部材上に照明機器が取り付けられているため、天井下から照明機器を見えづらくすることができる。
【図面の簡単な説明】
【００３１】
【図１】建物の一階部分を示す縦断面図。
【図２】図１の領域Ａ内を拡大して示す縦断面図。
【図３】図１の領域Ｂ内を拡大して示す縦断面図。
【図４】ユニット式建物の概要を示す斜視図。
【図５】建物ユニットを示す斜視図。
【図６】他の実施形態における間接照明を示す縦断面図。
【図７】他の実施形態における間接照明を示す縦断面図。
【発明を実施するための形態】
【００３２】
以下に、本発明を具体化した一実施の形態について図面を参照しつつ説明する。なお、図４は、ユニット式建物の概要を示す斜視図である。
【００３３】
図４に示すように、建物１０は、基礎１１上に設けられた建物本体１２と、その上方に設けられた屋根部１３とを備える。建物本体１２は、下階部としての一階部分１４と、上階部としての二階部分１５とを有する二階建てとなっており、複数の建物ユニット２０が互いに連結されることにより構成されている。
【００３４】
図５には建物ユニット２０の斜視図を示す。図５に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３５】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。天井小梁２５はリップ溝形鋼よりなり、床小梁２６は角形鋼よりなる。天井小梁２５によって天井面材２７が支持され、床小梁２６によって床面材２８が支持されている。
【００３６】
次に、建物１０の一階部分１４について図１に基づいて説明する。図１は、建物１０の一階部分１４を示す縦断面図である。
【００３７】
図１に示すように、基礎１１の上には、一階部分１４を構成する各建物ユニット２０が設置されている。これらの建物ユニット２０は、その柱２１が基礎１１上に載置されることで設置されている。一階部分１４には、これら建物ユニット２０の内部に屋内空間が形成されている。屋内空間としては、リビング１６や和室１７、収納室１８等が設けられている。リビング１６は、隣り合う２つの建物ユニット２０に跨がって形成されており、詳しくはそれら２つの建物ユニット２０の全域に跨がって形成されている。なお、リビング１６が「屋内空間部」に相当する。
【００３８】
リビング１６は、外壁３１により屋外と仕切られており、その外壁３１には窓部３２が形成されている。窓部３２は、いわゆる掃き出し窓となっており、その窓部３２にはガラス戸３３が設けられている。外壁３１の外面には、窓部３２よりも上側にシャッタ装置３５が設けられている。このシャッタ装置３５により窓部３２を屋外から遮蔽可能となっている。
【００３９】
リビング１６には、窓部３２を遮蔽するカーテン３８が設けられている。カーテン３８は、後述する遮光板７５に吊り具４５を介して吊り下げられている。遮光板７５の下面側には吊り具４５を覆い隠すようにしてカーテンボックス４６が設けられている。カーテンボックス４６は、外壁３１の内面において窓部３２よりも上側に取り付けられている。
【００４０】
収納室１８は、リビング１６に隣接して設けられている。収納室１８の開口３６は、リビング１６に向けて開口されており、その開口３６には収納扉３７が設けられている。開口３６は、その上下寸法が床面から天井面までの上下寸法と略同じとなっている。したがって、その開口３６に設けられた収納扉３７も、その上下寸法が床面から天井面までの上下寸法と略同じとなっている。つまり、収納扉３７は、フルハイトドアにより構成されている。
【００４１】
和室１７は、収納室１８を挟んでリビング１６とは反対側に設けられている。和室１７は収納室１８と隣接しており、間仕切壁３９によって収納室１８と仕切られている。
【００４２】
続いて、一階部分１４の床部及び天井部の構成について説明する。
【００４３】
一階部分１４の床部には、床大梁２３及び床小梁２６の上に床根太４１が設けられている。それら床根太４１の上には床面材２８が設けられている。床面材２８は、パーティクルボードよりなる。床面材２８の上面には、フローリング等からなる床仕上げ材４２が敷設されている。この床仕上げ材４２により屋内空間１６〜１８の床面４４が形成されている。また、床面材２８の下面側には床下断熱材４３が設けられている。
【００４４】
一階部分１４の天井部は、その天井高さが和室１７及び収納室１８よりもリビング１６の方が高くなっている。以下、これら天井高さが相違する和室１７及び収納室１８の天井部とリビング１６の天井部とについて図１に加え図２及び図３を用いながら説明する。なお、図２及び図３はいずれも、隣り合う建物ユニット２０の天井大梁２２同士が対向する対向部周辺を拡大して示す縦断面図である。図２は図１の領域Ａ内を拡大して示しており、図３は図１の領域Ｂ内を拡大して示している。
【００４５】
また、以下の説明では、便宜上、和室１７及び収納室１８を構成する建物ユニット２０の符号にＡを付し、リビング１６を構成する２つの建物ユニット２０の符号にそれぞれＢ及びＣを付す。これらの建物ユニット２０Ａ〜２０Ｃは同ユニット２０Ａ〜２０Ｃの（平面視）短手方向（換言すると天井小梁２５の長手方向）に並んで配置されており、リビング１６を構成する各建物ユニット２０Ｂ，２０Ｃのうち建物ユニット２０Ｂが建物ユニット２０Ａに隣接している。
【００４６】
また、以下の説明では、場合によって、建物ユニット２０Ａを構成する構成部材の符号にＡを付し、建物ユニット２０Ｂを構成する構成部材の符号にＢを付し、建物ユニット２０Ｃを構成する構成部材の符号にＣを付すことで、各建物ユニット２０Ａ〜２０Ｃの構成部材を区別することとする。
【００４７】
まず、和室１７及び収納室１８の天井部の構成について説明する。図１及び図２に示すように、和室１７及び収納室１８を構成する建物ユニット２０Ａには、上述したように、対向する一対の天井大梁２２Ａの間に複数の天井小梁２５Ａが架け渡されている。天井小梁２５Ａは、その上下寸法（高さ寸法）が天井大梁２２Ａの上下寸法（高さ寸法）の半分よりも小さくなっており、詳しくは天井大梁２２Ａの上下寸法の１／３程度となっている。天井小梁２５Ａは、対向する一対の天井大梁２２Ａの下部に架け渡されており、その下面が天井大梁２２Ａの下面と同じ高さ位置に設定されている。
【００４８】
天井大梁２２Ａの下面には野縁４７Ａが取り付けられており、各天井小梁２５Ａの下面にもそれぞれ野縁４８Ａが取り付けられている。野縁４７Ａは、天井大梁２２Ａに沿って配設され、野縁４８Ａは、天井小梁２５Ａに沿って配設されている。野縁４７Ａの下面と各野縁４８Ａの下面とはいずれも同じ高さ位置に設定されており、それら各野縁４７Ａ，４８Ａの下面には天井面材２７（２７Ａ）がビス等で取り付けられている。天井面材２７Ａは、二枚重ねされた石膏ボードよりなる。
【００４９】
建物ユニット２０Ａと、リビング１６を構成する建物ユニット２０Ｂとの境界部では、それら両建物ユニット２０Ａ，２０Ｂの天井大梁２２Ａ，２２Ｂが互いに対向しており、それら各天井大梁２２Ａ，２２Ｂの下面にそれぞれ野縁４７Ａ，４７Ｂが取り付けられている。これら各野縁４７Ａ，４７Ｂの下面には、小幅の天井面材５１がビス等で取り付けられている。この天井面材５１は、各建物ユニット２０Ａ，２０Ｂの境界部を跨ぐように設けられており、施工現場において各建物ユニット２０Ａ，２０Ｂが設置された後、取り付けられるものとなっている。天井面材５１は、天井面材２７Ａと同様、二枚重ねされた石膏ボードよりなり、天井面材２７Ａと横並びで配設されている。この場合、天井面材５１の下面と天井面材２７Ａの下面とは面一の状態とされている。
【００５０】
天井面材２７Ａの下面と天井面材５１の下面とには、それら各下面に跨がって天井仕上げ材４９（天井クロス等）が貼り付けられている。この天井仕上げ材４９により和室１７及び収納室１８の天井面５２が形成されている。
【００５１】
続いて、リビング１６の天井部の構成について説明する。
【００５２】
図１及び図３に示すように、リビング１６を構成する各建物ユニット２０Ｂ，２０Ｃにも、上記建物ユニット２０Ａと同様、対向する一対の天井大梁２２Ｂ，２２Ｃ間に複数の天井小梁２５Ｂ，２５Ｃが架け渡されている。天井小梁２５Ｂ，２５Ｃは、建物ユニット２０Ａの天井小梁２５Ａと同じ構成からなる。これらの建物ユニット２０Ｂ，２０Ｃでは、（すべての）各天井小梁２５Ｂ，２５Ｃが対向する一対の天井大梁２２Ｂ，２２Ｃの上部に架け渡されており、その上面が天井大梁２２Ｂ，２２Ｃの上面と同じ高さ位置に設定されている。したがって、各天井小梁２５Ｂ，２５Ｃの下面は天井大梁２２Ｂ，２２Ｃの下面よりも高い位置にあり、詳しくは天井大梁２２Ｂ，２２Ｃの上下方向の中央部と同じ高さ位置か又はそれよりも高い位置にある。なお、各天井小梁２５Ｂ，２５Ｃがそれぞれ「上天井小梁」に相当する。
【００５３】
各天井小梁２５Ｂ，２５Ｃの下面にはそれぞれ野縁４８Ｂ，４８Ｃがビス等で取り付けられている。野縁４８Ｂ，４８Ｃは、建物ユニット２０Ａの野縁４８Ａと同じ構成よりなり、天井小梁２５Ｂ，２５Ｃに沿って配設されている。それら各野縁４８Ｂ，４８Ｃの下面には天井面材２７（２７Ｂ，２７Ｃ）がビス等で取り付けられている。これら天井面材２７Ｂ，２７Ｃは、二枚重ねされた石膏ボードよりなり、建物ユニット２０Ａの天井面材２７Ａと同じ構成からなる。
【００５４】
これらの天井面材２７Ｂ，２７Ｃは、その下面が天井大梁２２Ｂ，２２Ｃの下面よりも高い位置にある。詳しくは、天井面材２７Ｂ，２７Ｃの下面は、天井大梁２２Ｂ，２２Ｃの上下方向の中央部と同じ高さ位置か又はそれよりも高い位置にある。これにより、これらの天井面材２７Ｂ，２７Ｃは、建物ユニット２０Ａの天井面材２７Ａよりも高い位置にある。なお、この場合、各天井面材２７Ｂ，２７Ｃが「高天井面材」に相当し、天井面材２７Ａ（及び天井面材５１）が「通常の天井面材」に相当する。
【００５５】
各天井面材２７Ｂ，２７Ｃはその下面が同じ高さ位置にあり、それら各天井面材２７Ｂ，２７Ｃの下面にはそれぞれ天井仕上げ材５４（天井クロス等）が貼り付けられている。この天井仕上げ材５４によりリビング１６の天井面５５が形成されている。
【００５６】
上記のように、リビング１６（建物ユニット２０Ｂ，２０Ｃ）の天井部では、天井面材２７Ｂ，２７Ｃの下面が天井大梁２２Ｂ，２２Ｃの上下方向の中央部と同じ高さ位置か又はそれよりも高い位置に設定されていることから、各天井面材２７Ｂ，２７Ｃの下方にそれぞれ建物ユニット２０Ｂ，２０Ｃの各天井大梁２２Ｂ，２２Ｃにより囲まれた内側空間が形成されている。この内側空間は、天井大梁２２Ｂ，２２Ｃの下面よりも高い位置に形成された高天井下スペース５７となっており、リビング１６の天井下にはこの高天井下スペース５７が各建物ユニット２０Ｂ，２０Ｃごとにそれぞれ設けられている。リビング１６では、この高天井下スペース５７が設けられていることで、その分天井高さＨ１（詳しくは、床面４４から天井面５５までの上下間距離）が和室１７及び収納室１８の天井高さＨ２（詳しくは、床面４４から天井面５２までの上下間距離）よりも高くなっている（Ｈ１＞Ｈ２）。本実施形態では、和室１７及び収納室１８の天井高さＨ２が２４００ｍｍとなっているのに対し、リビング１６の天井高さＨ１が２５４０ｍｍとなっている。この点からすると、リビング１６を高天井空間ということもできる。
【００５７】
図２及び図３には、その他の構成として、二階部分１５の床部の構成が示されている。その二階部分１５の床部の構成について簡単に説明すると、二階部分１５を構成する建物ユニット２０の床大梁２３の上には根太５８が設けられている。根太５８の上面と床小梁２６の上面とは同じ高さ位置にあり、それら根太５８及び床小梁２６の上にはパーティクルボードよりなる床面材２８が設けられている。また、隣り合う建物ユニット２０の床面材２８の間には、同じくパーティクルボードよりなる床繋ぎ面材５９が設けられている。これら床面材２８の上面と床繋ぎ面材５９の上面とには、これら各上面に跨がってフローリング等からなる床仕上げ材６３が敷設されている。
【００５８】
ところで、本建物１０では、リビング１６の天井下に、高天井下スペース５７を利用して間接照明が構築されている。以下、この間接照明に関する構成について説明する。
【００５９】
図１に示すように、リビング１６の天井下には、各高天井下スペース５７を利用して間接照明が複数箇所に構築されている。間接照明は、各高天井下スペース５７においてそれぞれ同スペース５７を挟んで対向する長辺側の各天井大梁２２（２２Ｂ，２２Ｃ）付近に構築されている。この場合、間接照明は、建物ユニット２０Ｂ，２０Ｃの並ぶ並び方向においてリビング１６の周縁部と中央部とにそれぞれ構築されている。
【００６０】
まず、リビング１６において収納室１８側の周縁部に構築された間接照明について図２を用いながら説明する。
【００６１】
図２に示すように、隣り合う建物ユニット２０Ａ，２０Ｂにおいて互いに対向する各天井大梁２２Ａ，２２Ｂのうち、天井大梁２２Ｂの溝部開放側（高天井下スペース５７側）には、建物ユニット２０Ｂの天井面材２７Ｂと天井面材５１との間の段差部に壁板６２が設けられている。壁板６２は、パーティクルボードよりなり、それら各天井面材２７Ｂ，５１に跨がって上下に延びている。また、壁板６２は、天井大梁２２Ｂの長手方向に沿って延びている。
【００６２】
壁板６２は、その上端部において建物ユニット２０Ｂの各野縁４８Ｂの端部に固定されている。また、壁板６２は、その下端側で野縁４７Ｂに対して下地材６１を介して固定されている。下地材６１は、壁板６２と野縁４７Ｂとの間に設けられており、野縁４７Ｂに沿って延びる長尺の角材よりなる。下地材６１は、野縁４７Ｂに対してビス等で固定され、その下地材６１に対して壁板６２の下端側がビス等で固定されている。なお、下地材６１の下面には、天井面材５１の端部がビス等で固定されている。
【００６３】
壁板６２には、ＬＥＤ（発光ダイオード）からなる照明機器６５が取り付けられている。照明機器６５は、壁板６２の長手方向（換言すると天井大梁２２Ｂの長手方向）において所定の間隔（例えば等間隔）で複数配置されている。各照明機器６５にはそれぞれ配線６６が接続されている。これらの配線６６は、壁板６２に形成された配線孔６２ａと、天井大梁２２Ｂのウェブに形成された配線孔２２ａとを通じて、対向する天井大梁２２Ａ，２２Ｂ間の梁間隙間６８に導かれている。これらの配線孔６２ａ，２２ａはそれぞれ、各照明機器６５（配線６６）ごとに設けられている。なお、天井大梁２２Ｂの配線孔２２ａについては１つだけ形成しその共通の配線孔２２ａを通じて各配線６６をまとめて梁間隙間６８に導くようにしてもよい。また、この場合、梁間隙間６８は、配線６６を配設する配設スペースとなっている。
【００６４】
各照明機器６５の下方には、遮光部材としての遮光板７１が設けられている。遮光板７１は、パーティクルボードからなり、天井大梁２２Ｂ（壁板６２）の長手方向に沿って延びる長尺平板状をなしている。遮光板７１は、各照明機器６５の下方に跨がって設けられており、その遮光板７１により各照明機器６５が下方から覆われている。これにより、各照明機器６５から照射される光は遮光板７１により遮られることになるため、照明機器６５からの光は天井面５５に反射してから天井下へ照射されることになる。
【００６５】
遮光板７１は、壁板６２の下端部から側方に突出するように設けられており、その端部が下地材７２を介して壁板６２に固定されている。下地材７２は、壁板６２の下端部に沿って延びる長尺の角材よりなり、壁板６２を挟んで下地材６１とは反対側に設けられている。下地材７２は、壁板６２を介して下地材６１にビス等で固定されている。そして、その下地材７２の下面に遮光板７１の端部がビス等で固定されている。
【００６６】
遮光板７１は、その下面が天井面材５１（及び天井面材２７Ａ）の下面（換言すると天井面５２）と同じ高さ位置に設定されている。これにより、床面４４から遮光板７１の下面までの上下間距離Ｈ３（図１参照）は和室１７及び収納室１８の天井高さＨ２と同じとなっている（Ｈ２＝Ｈ３）。
【００６７】
続いて、リビング１６において外壁３１側の周縁部に構築された間接照明について説明する。
【００６８】
図１に示すように、外壁３１の内部には、建物ユニット２０Ｃの天井大梁２２Ｃが配設されており、外壁３１の内面においてその天井大梁２２Ｃと同じ高さ位置には照明機器６５が取り付けられている。照明機器６５は、外壁３１の幅方向（天井大梁２２Ｃの長手方向）に沿って所定の間隔（例えば等間隔）で複数配置されている。これら照明機器６５の下方には、遮光部材としての遮光板７３が設けられている。遮光板７３は、パーティクルボードからなり、外壁３１の幅方向に沿って延びる長尺平板状をなしている。遮光板７３は、外壁３１から側方に突出するように設けられ、その端部が下地材７６を介して外壁３１に固定されている。下地材７６は、外壁３１の幅方向に延びる長尺材よりなり、外壁３１に対してビス等で固定されている。そして、その下地材７６の下面に遮光板７３の端部がビス等で固定されている。
【００６９】
遮光板７３は、その下面が建物ユニット２０の天井面材２７Ａの下面（換言すると天井面５２）と同じ高さ位置に設定されている。これにより、床面４４から遮光板７３の下面までの上下間距離は和室１７及び収納室１８の天井高さＨ２と同じとなっている。
【００７０】
続いて、リビング１６において中央部に構築された間接照明について図３を用いながら説明する。
【００７１】
図３に示すように、隣り合う建物ユニット２０Ｂ，２０Ｃにおいて互いに対向する各天井大梁２２Ｂ，２２Ｃの下面にはそれぞれ野縁７４Ｂ，７４Ｃがビス等で取り付けられている。これら各野縁７４Ｂ，７４Ｃはそれぞれ天井大梁２２Ｂ，２２Ｃに沿って配設されている。各野縁７４Ｂ，７４Ｃの下面には、遮光部材としての遮光板７５がビス等で固定されている。遮光板７５は、パーティクルボードからなり、天井大梁２２Ｂ，２２Ｃの長手方向に沿って延びる長尺平板状をなしている。遮光板７５は、その幅方向における一端側が天井大梁２２Ｂから当該一端側へ延出しており、その延出した延出部７５ａが天井面材２７Ｂと上下に対向している。また、遮光板７５は、幅方向における他方側が天井大梁２２Ｃから当該他方側へ延出しており、その延出した延出部７５ｂが天井面材２７Ｃと上下に対向している。
【００７２】
遮光板７５は、その下面が天井面材２７Ａの下面（換言すると天井面５２）と同じ高さ位置に設定されている。これにより、床面４４から遮光板７５の下面までの上下間距離Ｈ４（図１参照）は和室１７及び収納室１８の天井高さＨ２と同じとなっている（Ｈ２＝Ｈ４）。
【００７３】
対向する各天井大梁２２Ｂ，２２Ｃを挟んだ両側にはそれぞれ壁板７７（７７Ｂ，７７Ｃ）が設けられている。壁板７７Ｂは、天井面材２７Ｂと遮光板７５との間の段差部に設けられており、壁板７７Ｃは、天井面材２７Ｃと遮光板７５との間の段差部に設けられている。壁板７７Ｂ，７７Ｃはパーティクルボードよりなり、天井大梁２２Ｂ，２２Ｃの長手方向に沿って延びている。壁板７７Ｂは、天井面材２７Ｂと遮光板７５の延出部７５ａとの間に上下に跨がって設けられており、壁板７７Ｃは、天井面材２７Ｃと遮光板７５の延出部７５ｂとの間に上下に跨がって設けられている。これらの壁板７７Ｂ，７７Ｃは、その上端部において建物ユニット２０Ｂ，２０Ｃの各野縁４８Ｂ，４８Ｃの端部に固定され、その下端側で野縁７４Ｂ，７４Ｃに下地材７９Ｂ，７９Ｃを介して固定されている。下地材７９Ｂ，７９Ｃは、壁板７７Ｂ，７７Ｃと野縁７４Ｂ，７４Ｃとの間に設けられており、野縁７４Ｂ，７４Ｃに沿って延びる長尺の角材よりなる。下地材７９Ｂ，７９Ｃは、野縁７４Ｂ，７４Ｃに対してビス等で固定され、その下地材７９Ｂ，７９Ｃに対して壁板７７Ｂ，７７Ｃの下端部がビス等で固定されている。
【００７４】
また、壁板７７Ｂ，７７Ｃの下端部を挟んで下地材７９Ｂ，７９Ｃとは反対側には下地材８１Ｂ，８１Ｃが設けられている。下地材８１Ｂ，８１Ｃは、壁板７７Ｂ，７７Ｃの下端部に沿って延びる長尺の角材よりなり、壁板７７Ｂ，７７Ｃを介して下地材７９Ｂ，７９Ｃにビス等で固定されている。また、各下地材７９Ｂ，７９Ｃの下面と各下地材８１Ｂ，８１Ｃの下面とにはそれぞれ遮光板７５がビス等で固定されている。
【００７５】
各壁板７７Ｂ，７７Ｃにはそれぞれ照明機器６５（６５Ｂ，６５Ｃ）が取り付けられている。照明機器６５Ｂ，６５Ｃは、壁板７７Ｂ，７７Ｃの長手方向（換言すると天井大梁２２Ｂ，２２Ｃの長手方向）において所定の間隔（例えば等間隔）で複数配置されている。各照明機器６５Ｂ，６５Ｃにはそれぞれ配線６６が接続されている。これらの配線６６は、壁板７７Ｂ，７７Ｃに形成された配線孔７７ａと、天井大梁２２Ｂ，２２Ｃのウェブに形成された配線孔２２ａとを通じて、それら天井大梁２２Ｂ，２２Ｃ間の梁間隙間８３に導かれている。これらの配線孔７７ａ，２２ａはそれぞれ、各照明機器６５Ｂ，６５Ｃ（配線６６）ごとに設けられている。なお、天井大梁２２Ｂ，２２Ｃの配線孔２２ａについては１つだけ形成しその共通の配線孔２２ａを通じて各配線６６をまとめて梁間隙間８３に導くようにしてもよい。また、この場合、梁間隙間８３は、配線６６を配設する配設スペースとなっている。
【００７６】
各照明機器６５Ｂはそれぞれ遮光板７５の延出部７５ａと天井面材２７Ｂとの間に配設されている。これにより、各照明機器６５Ｂは延出部７５ａにより下方から覆われている。また、各照明機器６５Ｃはそれぞれ遮光板７５の延出部７５ｂと天井面材２７Ｃとの間に配設されている。これにより、各照明機器６５Ｃはそれぞれ延出部７５ｂにより下方から覆われている。
【００７７】
以上、詳述した本実施形態の構成によれば、以下の優れた効果が得られる。
【００７８】
建物ユニット２０Ｂ，２０Ｃの天井部に、下面が天井大梁２２の下面よりも高い位置に設定された天井面材２７Ｂ，２７Ｃを設け、それにより天井面材２７Ｂ，２７Ｃの下方における天井大梁２２の下面よりも高い位置に高天井下スペース５７を形成した。そして、その高天井下スペース５７を利用して照明機器６５を設置するとともに、その照明機器６５の下方に遮光板７１，７３，７５を設けた。この場合、照明機器６５と遮光板７１，７３，７５とにより間接照明を構築するにあたり、これら照明機器６５及び遮光板７１，７３，７５から受ける圧迫感を少なくすることができる。
【００７９】
また、遮光板７１，７３，７５については、天井大梁２２Ａの下面側に設けられる通常（通常高さ）の天井面材２７Ａと同じ高さ位置に配置したため、遮光板７１，７３，７５から受ける圧迫感をより一層少なくすることができる。
【００８０】
対向する一対の天井大梁２２の上部に天井小梁２５Ｂ，２５Ｃを架け渡し、その天井小梁２５Ｂ，２５Ｃ（高天井小梁）の下面側に天井面材２７Ｂを取り付けた。この場合、既存の天井小梁２５を天井大梁２２に対して上部に位置させるといった比較的簡単な構成で天井面材２７Ｂ，２７Ｃ（高天井面材）を設けることができるため、ユニット天井部に高天井面材を設けるにあたり実用上好ましい構成といえる。
【００８１】
また、ユニット天井部から天井小梁２５を取り除けば、高天井面材を設けることが可能とはなるが、その場合、ユニット天井部（天井大梁２２等）に座屈が生じるおそれがある。その点、天井小梁２５Ｂ，２５Ｃを天井大梁２２の上部に位置させた上述の構成によれば、天井小梁２５Ｂ，２５Ｃによりユニット天井部の座屈防止を図りながら、高天井面材を設けることが可能となる。
【００８２】
一対の天井大梁２２間に架け渡された各天井小梁２５Ｂ，２５Ｃをすべて高天井小梁とし、それら高天井小梁とされた各天井小梁２５Ｂ，２５Ｃの下面側にそれぞれ天井面材２７Ｂ，２７Ｃ（高天井面材）を取り付けた。この場合、建物ユニット２０Ｂ，２０Ｃの天井部において広範囲に高天井下スペース５７を形成することができるため、高天井下スペース５７を利用して間接照明を構築するにあたり、間接照明の配置の自由度を高めることができる。したがって、例えば、（長辺側の）天井大梁２２の長手方向に沿って照明機器６５を複数配置し、それによって間接照明を上記長手方向に沿って構築するといったことが可能となる。
【００８３】
天井面材２７Ｂ，２７Ｃと天井大梁２２Ｂ，２２Ｃの下面との間の段差部に照明機器６５を設けた。具体的には、かかる段差部に壁板６２，７７を設け、その壁板６２，７７に照明機器６５を取り付けた。この場合、天井面材２７Ｂ，２７Ｃから下方に延びる垂れ壁を設け、その垂れ壁に照明機器６５を取り付ける場合と比べ、垂れ壁を不要とできる分、構成の簡素化を図ることができる。
【００８４】
また、照明機器６５の配線６６を対向する天井大梁２２間の梁間隙間６８，８３に配設したため、デッドスペースとなりがちな梁間隙間６８，８３を配線スペースとして有効利用することができる。
【００８５】
照明機器６５を高天井下スペース５７において天井大梁２２Ｂ，２２Ｃ付近に設置し、それら天井大梁２２Ｂ，２２Ｃの下面側に照明機器６５を下方から覆う遮光板７５を取り付けた。この場合、天井面材２７Ｂ，２７Ｃから下方に延びる垂れ壁を設け、その垂れ壁の下面に遮光板を取り付ける場合と比べ、構成の簡素化を図ることができる。
【００８６】
隣り合う建物ユニット２０Ｂ，２０Ｃに跨がって形成されたリビング１６の天井部において、それら両建物ユニット２０Ｂ，２０Ｃの対向する天井大梁２２Ｂ，２２Ｃ付近に照明機器６５を設置し、それら天井大梁２２Ｂ，２２Ｃの下面側に遮光板７５を取り付けた。この場合、リビング１６の中央側において天井下に間接照明を構築することができる。また、遮光板７５がユニット境界部の各天井大梁２２Ｂ，２２Ｃを利用して取り付けられているため、壁（例えば外壁３１）から離れたリビング１６の中央側にて間接照明を構築する際にも、垂れ壁を不要とすることができ、構成の簡素化を図ることができる。
【００８７】
具体的には、リビング１６の天井部では、隣り合う建物ユニット２０Ｂ，２０Ｃの対向する各天井大梁２２Ｂ，２２Ｃを挟んだ両側にそれぞれ高天井下スペース５７を形成し、それら各高天井下スペース５７においてそれぞれ天井大梁２２Ｂ，２２Ｃ付近に照明機器６５を設置した。そして、それら両高天井下スペース５７の照明機器６５を下方から覆うように遮光板７５を各天井大梁２２Ｂ，２２Ｃの下面側に取り付けた。この場合、各高天井下スペース５７においてそれぞれ天井大梁２２Ｂ，２２Ｃ付近に間接照明が構築されるため、それら各間接照明によりリビング１６を中央側から周縁側に向けて広範囲に亘って照らすことが可能となる。
【００８８】
上述したように、リビング１６の天井下に間接照明を構築するにあたって、遮光板７１，７３，７５を通常（通常高さ）の天井面材２７Ａと同じ高さ位置に配置したことで、例えば次のような付随的な効果が得られる。
【００８９】
遮光板７１が天井面材２７Ａと同じ高さ位置に配置されていることで、収納室１８の開口３６にフルハイトドアからなる収納扉３７を設置可能とした。これにより、収納扉３７を開けば開口３６が床面４４から天井面５２までの高さ寸法で開口されるため、収納室１８へ物品を収納する際には、物品を収納室１８の天井付近まで容易に収納することが可能となる。
【００９０】
遮光板７３が天井面材２７Ａと同じ高さ位置に配置されていることで、外壁３１の内面において窓部３２の上端から遮光板７３までの上下寸法が通常通り確保されている。これにより、外壁３１の内面において窓部３２よりも上方にカーテンボックス４６を配置可能とした。また、外壁３１の内面において窓部３２よりも上方部分に、カーテンボックス４６に代えて、ファンコイルユニット式の空調機を配置してもよい。
【００９１】
本発明は上記実施形態に限らず、例えば次のように実施されてもよい。
【００９２】
（１）上記実施形態では、照明機器６５Ｂ，６５Ｃを壁板７７Ｂ，７７Ｃに対して取り付けたが、例えば図６に示すように、照明機器６５Ｂ，６５Ｃを遮光板７５上に取り付けてもよい。同図６では、照明機器６５Ｂが遮光板７５の延出部７５ａ上に取り付けられ、照明機器６５Ｃが遮光板７５の延出部７５ｂ上に取り付けられている。この場合、照明機器６５Ｂ，６５Ｃを壁板７７Ｂ，７７Ｃに取り付ける場合と比べて、天井下から照明機器６５Ｂ，６５Ｃを見えにくくすることができる。そのため、遮光板７５の延出部７５ａ，７５ｂの延出長さを上記実施形態よりも短くすることができる。
【００９３】
（２）上記実施形態では、照明機器６５を天井大梁２２の近傍に配設したが、図７に示すように、照明機器６５を天井大梁２２から離間させて配設してもよい。この場合、照明機器６５を離間させた分、遮光板９１において天井大梁２２から延出する延出長さを長くすればよい。
【００９４】
また、図７の例では、遮光板９１が２枚重ねされた石膏ボードよりなる天井面材により構成されている。遮光板９１は、隣り合う建物ユニット２０Ａ，２０Ｂの各天井大梁２２Ａ，２２Ｂの下面側に固定された各野縁４７Ａ，４７Ｂの下面に跨がって設けられ、それら各野縁４７Ａ，４７Ｂに対しビス等で固定されている。そして、遮光板９１において天井大梁２２Ｂから延出する延出部９１ａにより各照明機器６５が下方から覆われている。この場合、天井面材を利用して遮光部材が構成されているため、遮光部材を別途設けなくてよい分、部品点数の低減を図ることができる。
【００９５】
（３）上記実施形態では、照明機器６５を天井大梁２２付近に配設したが、これを変更して、照明機器６５を天井大梁２２から離間させて配設してもよい。例えば、照明機器６５を、建物ユニット２０Ｂの対向する（長辺側の）各天井大梁２２Ｂの間の中央部（換言すると高天井下スペース５７の中央部）に配設することが考えられる。この場合、天井大梁２２Ｂを利用して照明機器６５や遮光板を取り付けることができないため、例えば天井面材２７Ｂの下面側に垂れ壁を設け、その垂れ壁に対して照明機器６５や遮光板を取り付けることになる。この場合にも、照明機器６５を高天井下スペース５７を利用して設置することができるため、照明機器６５から受ける圧迫感を少なくすることができる。
【００９６】
（４）上記実施形態では、建物ユニット２０Ｂ，２０Ｃの各天井小梁２５Ｂ，２５Ｃすべてを高天井小梁とすることで、建物ユニット２０Ｂ，２０Ｃの天井面材２７Ｂ，２７Ｃ全部を高天井面材としたが、各天井小梁２５Ｂ，２５Ｃのうち一部の天井小梁２５Ｂ，２５Ｃだけを高天井小梁として、天井面材２７Ｂ，２７Ｃの一部だけを高天井面材としてもよい。その場合にも、その高天井面材の下方には高天井下スペースが形成されるため、そのスペースを利用して照明機器６５を設置すれば、照明機器６５から受ける圧迫感を少なくすることができる。
【００９７】
（５）上記実施形態では、対向する一対の天井大梁２２Ｂ，２２Ｃの上部間に天井小梁２５Ｂ，２５Ｃを架け渡し、その天井小梁２５Ｂ，２５Ｃの下面側に天井面材２７Ｂ，２７Ｃを取り付けることで高天井面材（天井面材２７Ｂ，２７Ｃ）を配設したが、高天井面材を配設するための構成は必ずしもこれに限らない。例えば、隣り合う（通常高さの）天井小梁２５（すなわち天井小梁２５Ａと同じ高さに配置された天井小梁２５）上に所定の間隔で複数の長尺材を架け渡し、それら長尺材の下面に天井面材２７を取り付けることで高天井面材（天井面材２７）を配設するようにしてもよい。その場合にも、それら隣り合う天井小梁２５間において当該高天井面材の下方に高天井下スペースを形成することができる。
【００９８】
また、隣り合う天井小梁２５間に長尺状を架け渡すことに代えて、二階部分１５の建物ユニット２０の隣り合う床小梁２６間に複数の長尺材を架け渡し、それら長尺材の下面に天井面材２７を取り付けてもよい。その場合にも、天井面材２７の下方に高天井下スペースを形成することができる。また、この場合、天井小梁２５間に長尺材を架け渡す場合と比べて、天井面材２７を高い位置に配置することができるため、高天井下スペースの上下寸法を大きくすることができる。
【００９９】
（６）上記実施形態では、照明機器６５としてＬＥＤを用いたが、蛍光灯や白熱灯等、他の照明装置を用いてもよい。また、照明機器６５として、光量を調整可能なものや、光の色を調整可能なものを用いてもよい。
【０１００】
（７）上記実施形態では、リビング１６の高天井下スペース５７を利用して照明機器６５（設備機器に相当）を設置したが、高天井下スペース５７を利用して音響機器（スピーカ等）や映像機器（テレビ等）、通信機器（送受信器）等、照明機器６５以外の設備機器を設置してもよい。また、高天井下スペース５７を利用して設備機器を設置する場合、必ずしも設備機器の全体が高天井下スペース５７に配置される必要はなく、設備機器の一部のみが高天井下スペース５７に配置されるように設備機器を設置してもよい。その場合でも、設備機器を設置するにあたって設備機器から受ける圧迫感を少なくすることができる。
【０１０１】
また、上記実施形態では、天井面材２７Ｂ，２７Ｃと天井大梁２２Ｂ，２２Ｃとの下面との間の段差部に設けられた壁板７７Ｂ，７７Ｃに照明機器６５を取り付けたが、例えばこの壁板７７Ｂ，７７Ｃに空調装置から供給される空調空気（冷気又は暖気）をリビング１６へ向けて吹き出す吹出口を設けてもよい。この場合、空調空気を側方に向けて吹き出すことができるため、空調空気から吹き出す風（空調空気）が居住者に直接当たるのを抑制することができ、上記風によって居住者に不快感を与えてしまうことを抑制することができる。
【０１０２】
（８）上記実施形態では、遮光部材として、平板状の遮光板７１，７３，７５を用いたが、遮光部材の構成は必ずしもこれに限定されない。例えば、遮光部材として、遮光板７１，７３，７５の先端部に上方に起立する起立板部を設けたものを用いてもよい。この場合、照明機器６５を天井下からより見えにくくすることができる。
【０１０３】
（９）例えば、リビング１６の天井面材２７Ｂ，２７Ｃにおいて、その下面側に凹凸部を設け、それによって天井部の意匠性（デザイン性）向上を図ってもよい。その場合、天井面材２７Ｂ，２７Ｃの下面側に設けられる凹部及び凸部のうち、凸部については下方に突出するように設けられることになるが、天井面材２７Ｂ，２７Ｃは通常の天井面材２７Ａよりも高い位置にあるため、その凸部から受ける圧迫感を少なくすることができる。
【０１０４】
また、リビング１６の天井部において、通常の天井面材２７Ａと同じ高さ位置に、透過する光を拡散させる（例えば乳白色の）透光性パネルを設けてもよい。その場合、照明機器６５からの光はその透光性パネルを透過する際拡散されるため、リビング１６の天井部においていわゆる面照明を実現することができる。また、この場合には、間接照明に代えて、照明機器６５を天井面５５下に取り付け直接照明としてもよい。
【０１０５】
さらに、リビング１６の高天井下スペース５７を利用してシステム天井化を行ってもよい。
【符号の説明】
【０１０６】
１０…建物、１６…屋内空間部としてのリビング、２０…建物ユニット、２１…柱、２２…天井大梁、２３…床大梁、２５…天井小梁、２５Ｂ，２５Ｃ…高天井小梁としての天井小梁、２７Ｂ，２７Ｃ…高天井面材としての天井面材、５７…高天井下スペース、６５…設備機器としての照明機器、７１，７３，７５…遮光部材としての遮光板。
【図１】
0006475999.tif 000002
【図２】
0006475999.tif 000003
【図３】
0006475999.tif 000004
【図４】
0006475999.tif 000005
【図５】
0006475999.tif 000006
【図６】
0006475999.tif 000007
【図７】
0006475999.tif 000008